(57)【要約】      （修正有）【課題】入浴時に高齢者でも背中を、それも最も手の届きにくい背骨に沿った部分を容易に洗うことができるボディブラシを提供する。  【解決手段】浴室の壁面に取り付け可能であって、上下方向にレール１ｃが配設されたベース１と、レール上をスライド移動及び位置固定が可能に配設されたブラシ２ｂと、ブラシをレール上でスライド移動させる電動モータと、ブラシをスライド移動時及び停止時に回転させる電動モータを具備する。ブラシのスライド移動及び回転動作は調節可能となっており、ベースは吸盤等により浴室の壁面２０に容易に取り付けることが可能である。【選択図】図２
0003209920.tif 000002
【実用新案登録請求の範囲】
【請求項１】
浴室内で背中を洗うためのボディブラシであって、該ボディブラシは、
上記浴室の壁面に取り付け可能であって、上下方向にレールが配設されたベースと、
上記レール上をスライド移動及び位置固定が可能に配設されたブラシと、
を具備することを特徴とするボディブラシ。
【請求項２】
上記ブラシを上記レール上でスライド移動させる電動モータを具備する、ことを特徴とする請求項１に記載のボディブラシ。
【請求項３】
上記ブラシはスライド移動時及び停止時に回転可能である、ことを特徴とする請求項１または２に記載のボディブラシ。
【請求項４】
上記ブラシのスライド移動を手動にて行うためのレバーを具備する、ことを特徴とする請求項１に記載のボディブラシ。
【請求項５】
浴室内で背中を洗うためのボディブラシであって、該ボディブラシは、
ブラシ本体と、
該ブラシ本体の左右両側に配設され、両手で持った際に上記ブラシ本体が背中の中心に当接するように屈曲した形状を有する保持部と、
を具備することを特徴とするボディブラシ。
【考案の詳細な説明】
【技術分野】
【０００１】
本考案は、ボディブラシに関する。
【背景技術】
【０００２】
入浴の際、背中を洗うことは誰にとっても困難である。直接手の届かない部分があるからである。通常は両手で各々タオルの両端をつかんで背中に回し、往復運動させて背中を擦って洗うことになる。
【０００３】
取手のついたボディブラシを使用する場合もあるが、タオルを用いる場合も、ボディブラシを用いる場合も、特に汚れのたまりやすい背骨に沿った縦のラインに十分な力を加えることが困難である。
【０００４】
高齢になると体も固くなり筋力も弱まるため、背中を洗うことはますます困難となる。
【先行技術文献】
【特許文献】
【０００５】
【特許文献１】実用新案登録第３１７２１２４号
【考案の概要】
【考案が解決しようとする課題】
【０００６】
特許文献１にはタオルに固定することにより背中を洗うためのボディブラシが記載されている。しかしながら、このようなボディブラシでは上記のように洗いにくい背中のラインを容易に、しかも十分に洗うことは特に高齢者などには困難である。
【０００７】
本考案は上記問題点に鑑み、入浴時に高齢者でも背中を、それも最も手の届きにくい背骨に沿った部分を誰でも容易に洗うことができるボディブラシを提供することを課題とする。  
【課題を解決するための手段】
【０００８】
上記課題を解決するために、請求項１の考案は、浴室内で背中を洗うためのボディブラシであって、浴室の壁面に取り付け可能であって、上下方向にレールが配設されたベースと、レール上をスライド移動及び位置固定が可能に配設されたブラシを具備することを特徴とする。
請求項２の考案はさらに、ブラシをレール上でスライド移動させる電動モータを具備することを特徴とする。
請求項３の考案はさらに、ブラシはスライド移動時及び停止時に回転可能であることを特徴とする。
請求項４の考案はさらに、ブラシのスライド移動を手動にて行うためのレバーを具備することを特徴とする。
請求項５の考案は、浴室内で背中を洗うためのボディブラシであって、ブラシ本体と、ブラシ本体の左右両側に配設され、両手で持った際にブラシ本体が背中の中心に当接するように屈曲した形状を有する保持部を具備することを特徴とする。
【考案の効果】
【０００９】
本考案のボディブラシにより浴室内で背中を洗う際、ブラシを適度な押し付け力で背骨のラインに沿って上下させることが可能となり、従来一人では洗いにくかった上記部分の洗浄が誰でも容易に行えるようになる。
【図面の簡単な説明】
【００１０】
【図１】本考案の第１の実施形態を示す模式図である。
【図２】本考案の第２の実施形態を示す模式図である。
【図３】本考案の第３の実施形態を示す模式図である。
【図４】本考案の第４の実施形態を示す模式図である。
【考案を実施するための形態】
【００１１】
以下、本考案のボディブラシの実施形態ついて図を用いて説明する。まず第１の実施形態の構成について説明する。
【００１２】
図１に示すように、ボディブラシ１０ａは浴室の壁面２０に取り付けるための吸盤１ａを備え、上下方向にレール１ｂが配設されたベース１と、レール１ｂ上をスライド移動及び位置固定が可能に配設されたブラシ２ａを具備している。ベース１は接着剤や、ねじ止めその他で浴室の壁面２０に取り付けられるものであってもよい。また、ブラシ２ａのスライド移動やベース１への固定はレバー方式などを用いた簡易な方式とすることが好ましい。
【００１３】
本実施形態のボディブラシ１０ａの使い方を説明する。
まず、浴室の壁面２０にベース１を適切な高さ位置に吸盤１ａで取り付ける。
次に、ブラシ２ａをレール１ｂ上でスライド移動させて適切な高さ位置、すなわち背中にブラシ２ａを押し当てて体を上下させて背骨のラインを洗うのに適切な高さ位置に固定する。これでボディブラシ１０ａの設置は完了である。
【００１４】
背中を洗う際は、しゃがんだり、立ったりすることで体を上下に移動させることにより、背骨に沿って真直ぐに洗うことができる。このように、スクワット運動をすることで下半身の強化にもなる。
【００１５】
次に、第２の実施形態の構成について説明する。
図２に示すように、本実施形態のボディブラシ１０ｂでは不図示の電動モータＭ１、Ｍ２を具備している。電動モータＭ１はブラシ２ｂの上下スライド移動用の電動モータである。電動モータＭ２はブラシ○の回転用の電動モータである。電動モータＭ１、Ｍ２の上下動及び回転のスピードはともに調節可能となっている。モータ電源は充電式、かつ防水式となっている。
【００１６】
本実施形態のボディブラシ１０ｂの使い方を説明する。
まず、浴室の壁面２０にベース１を適切な高さ位置に取り付ける。
次に、ブラシ２ｂをレール１ｃ上で電動モータＭ１によりスライド移動させて適切な高さ位置、すなわち背中にブラシ２ｂを押し当ててブラシ２ｂを上下させて背骨のラインを洗うのに適切な高さ位置に固定する。さらに、電動モータＭ１、Ｍ２の上下動及び回転のスピードを設定する。これでボディブラシ１０ｂの設置は完了である。
【００１７】
背中を洗う際は、ブラシ２ｂを電動モータＭ１により上下にゆっくりとスライド移動させるとともに、電動モータＭ２によりブラシ２ｂを回転させることで、背骨に沿って真直ぐに、しかもより丁寧に洗うことができる。
【００１８】
次に、第３の実施形態の構成について説明する。
図３に示すように、本実施形態のボディブラシ１０ｃでは、ブラシ２ｃのスライド移動を手動にて行うためのレバー３がブラシ２ｃの左右両側に配設されている。レバー３によるブラシ２ｃのスライド移動の負荷は調節可能となっている。
【００１９】
本実施形態のボディブラシ１０ｃの使い方を説明する。
まず、浴室の壁面２０にベース１を適切な高さ位置に取り付ける。
次に、ブラシ２ｃをレール１ｄ上でスライド移動させて適切な高さ位置、すなわち背中にブラシ２ｃを押し当ててブラシ２ｃを上下させて背骨のラインを洗うのに適切な高さ位置に仮に固定する。レバー３によるブラシ２ｃのスライド移動の負荷を設定する。
【００２０】
背中を洗う際は、レバー３の両端を両手で握ってブラシ２ｃをウェイトリフティングの要領で上下にスライド移動させることで、背骨に沿って真直ぐに洗うことができる。適切なスライド移動の負荷を設定することにより腕の運動が行なえ、上半身の強化にもなる。
【００２１】
次に、第４の実施形態の構成について説明する。
図４に示すように、本実施形態のボディブラシ１０ｄは、簡易タイプであって、ブラシ本体２ｄと、ブラシ本体２ｄの左右両側に配設され、両手で持った際にブラシ本体２ｄが背中の中心に当接するように屈曲した形状を有する保持部（以下取手）４を具備する。他の実施形態のような壁面に取り付けるためのベースは備えていない。
【００２２】
本実施形態のボディブラシ１０ｄの使い方を説明する。
左右の取手４を両手で握って、手動で動かす方式である。取手が体の形状に合わせて上下、前後に曲げてあるため、タオルを使う場合や、従来の片手で扱うボディブラシを使う場合に比較して、容易に、ブラシ本体２ｄの適切な押し付け力が得られるとともに、背骨に沿って真直ぐに洗うことができる。
【００２３】
以上説明したように、本考案のボディブラシにより、従来は良く洗うことが困難であった背骨のライン等を誰でも容易にきれいに洗うことができるようになる。
【符号の説明】
【００２４】
１  ベース
１ａ  吸盤
１ｂ、１ｃ、１ｄ  レール
２ａ、２ｂ、２ｃ  ブラシ  
２ｄ  ブラシ本体
３  レバー
４  取手
１０ａ、１０ｂ、１０ｃ、１０ｄ  ボディブラシ
２０  壁面
【図１】
0003209920.tif 000003
【図２】
0003209920.tif 000004
【図３】
0003209920.tif 000005
【図４】
0003209920.tif 000006